【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
ベース（４０）と、
上部隔壁（８０）と、
チャンバ（９１，１７１）を内部に有する実質的に円筒状の中空本体を前記上部隔壁（８０）とともに形成する下部隔壁（９０）と、
前記上部隔壁（８０）および前記下部隔壁（９０）を取り囲む実質的に円筒状の中空本体を含む隔壁キャップ（７０，２１０）であって、少なくとも１つの半径方向ポート（１３０，２３０）および少なくとも１つの軸方向ポート（１３２，２３２）を含む隔壁キャップ（７０，２１０）と、
を具えたことを特徴とする注入セット（１０）。
【請求項２】
延在セットハブ（３０，１８０）と、
前記半径方向ポート（１３０，２３０）を通り、および前記上部隔壁（８０）と前記下部隔壁（９０）との間の界面を通って挿入されるように構成された鈍端カニューレ（１１０）と、
をさらに具えたことを特徴とする請求項１に記載の注入セット（１０）。
【請求項３】
さらに前記延在セットハブ（３０，１８０）が、
実質的に円形のリングと、該リングから延在して撓むことが可能な複数の案内壁（１５０,２２０）と、を備えるスナップリング（１４０，１９０）
を含んでいることを特徴とする請求項２に記載の注入セット（１０）。
【請求項４】
前記複数の案内壁（１５０,２２０）は、前記隔壁キャップ（７０, ２１０）の外周を解放可能に固定するよう構成されていることを特徴とする請求項３に記載の注入セット（１０）。
【請求項５】
前記複数の案内壁（１５０,２２０）は、前記半径方向ポート（１３０，２３０）を通し、および前記上部隔壁（８０）と前記下部隔壁（９０）との間の界面を通して、前記鈍端カニューレ（１１０）を案内するよう構成されていることを特徴とする請求項３に記載の注入セット（１０）。
【請求項６】
前記鈍端カニューレ（１１０）は、前記上部隔壁（８０）と前記下部隔壁（９０）との間の界面を通って３６０度の態様で回転可能に摺動するよう構成されていることを特徴とする請求項２に記載の注入セット（１０）。
【請求項７】
前記隔壁キャップ（７０，２１０）は、前記ベース（４０）に対し回転可能に連結するよう構成されていることを特徴とする請求項１に記載の注入セット（１０）。
【請求項８】
ベース（４０）と、上部隔壁（８０）と、下部隔壁（９０）と、前記上部隔壁（８０）および前記下部隔壁（９０）を取り囲む隔壁キャップ（７０，２１０）とを具え、該隔壁キャップ（７０，２１０）が少なくとも１つの半径方向ポート（１３０，２３０）および少なくとも１つの軸方向ポート（１３２，２３２）を含んでいる注入セット（１０）に対し、鈍端カニューレ（１１０）を具えた延在セットハブ（３０，１８０）を連結する方法であって、
前記鈍端カニューレ（１１０）が前記半径方向ポート（１３０，２３０）を通り、前記隔壁キャップ（７０，２１０）内の前記上部隔壁（８０）および前記下部隔壁（９０）間を通るまで、前記ベース（４０）に実質的に平行な方向に前記延在セットハブ（３０，１８０）を移動させるステップと、
所望の位置に達するまで、前記延在セットハブ（３０，１８０）を前記ベース（４０）の回りに３６０度の態様にて回転させるステップと、
を具えたことを特徴とする方法。
【請求項９】
前記延在セットハブ（３０，１８０）は、実質的に円形のリングおよびそこから延在する複数の案内壁（１５０，２２０）を備えるスナップリング（１４０，１９０）を含み、前記複数の案内壁（１５０，２２０）は、前記隔壁キャップ（７０，２１０）の外周を解放可能に固定するよう構成されていることを特徴とする請求項８に記載の方法。
【請求項１０】
前記複数の案内壁（１５０,２２０）は、前記半径方向ポート（１３０，２３０）および前記上部隔壁（８０）と前記下部隔壁（９０）との間を通して、前記鈍端カニューレ（１１０）を案内するよう構成されていることを特徴とする請求項９に記載の方法。
【請求項１１】
前記鈍端カニューレ（１１０）は、前記上部隔壁（８０）と前記下部隔壁（９０）との間を通って３６０度の態様で回転可能に摺動するよう構成されていることを特徴とする請求項８に記載の方法。
【請求項１２】
前記隔壁キャップ（７０，２１０）は、前記ベース（４０）に対し回転可能に連結するよう構成されていることを特徴とする請求項８に記載の方法。
【請求項１３】
ベース（４０）と、
チャンバ（９１，１７１）を内部に有する中空本体を含む隔壁（１７０）と、
該隔壁（１７０）を取り囲む中空本体を含む隔壁キャップ（７０，２１０）であって、少なくとも１つの半径方向ポート（１３０，２３０）および少なくとも１つの軸方向ポート（１３２，２３２）を有する隔壁キャップ（７０，２１０）と、
を具えたことを特徴とする注入セット（１０，２００）。
【請求項１４】
延在セットハブ（３０，１８０）と、
前記半径方向ポート（１３０，２３０）を通して挿入されるように構成されたカニューレ（１１０，１６０）と、
をさらに具えたことを特徴とする請求項１３に記載の注入セット（１０，２００）。
【請求項１５】
さらに前記延在セットハブ（３０，１８０）が、
実質的に円形のリングと、該リングから延在する複数の案内壁（１５０,２２０）と、を備えるスナップリング（１４０，１９０）
を含んでいることを特徴とする請求項１４に記載の注入セット（１０，２００）。
【請求項１６】
前記複数の案内壁（１５０，２２０）は、前記隔壁キャップ（７０, ２１０）の外周を解放可能に固定するよう構成されていることを特徴とする請求項１５に記載の注入セット（１０，２００）。
【請求項１７】
前記複数の案内壁（１５０，２２０）は、前記半径方向ポート（１３０，２３０）を通して前記カニューレ（１１０，１６０）を案内するよう構成されていることを特徴とする請求項１５に記載の注入セット（１０，２００）。
【請求項１８】
ベース（４０）と、
少なくとも１つの隔壁（８０，９０，１７０）と、
該隔壁（８０，９０，１７０）を取り囲む隔壁キャップ（７０，２１０）であって、少なくとも１つの半径方向ポート（１３０，２３０）および少なくとも１つの軸方向ポート（１３２，２３２）を有する隔壁キャップ（７０，２１０）と、
を具えたことを特徴とする注入セット（１０，２００）。
【請求項１９】
延在セットハブ（３０，１８０）と、
前記半径方向ポート（１３０，２３０）を通して挿入されるように構成されたカニューレ（１１０，１６０）と、
をさらに具えたことを特徴とする請求項１８に記載の注入セット（１０，２００）。
【請求項２０】
前記カニューレは、前記延在セットハブ（３０）が前記ベース（４０）に対して実質的に平行な方向に動かされるときに、前記半径方向ポート（１３０，２３０）を通り、および上部の隔壁（８０）と下部の隔壁（９０）との間の界面を通って挿入されるよう構成された鈍端カニューレ（１１０）を含むことを特徴とする請求項１９に記載の注入セット（１０，２００）。
【請求項２１】
前記鈍端カニューレ（１１０）は、前記上部の隔壁（８０）と前記下部の隔壁（９０）との間の界面を通って３６０度の態様で回転可能に摺動するよう構成されていることを特徴とする請求項２０に記載の注入セット（１０，２００）。
【請求項２２】
前記カニューレは、前記延在セットハブ（３０）が前記ベース（４０）に対して実質的に平行な方向に移動されるときに、前記半径方向ポート（１３０，２３０）を通して挿入されて上部の隔壁（１７０）を穿孔するよう構成された尖端カニューレ（１６０）を含むことを特徴とする請求項１９に記載の注入セット（１０，２００）。